(57)【要約】【課題】無線通信用フィルタ装置のコネクタとフィルタ本体との間の接触部における受動相互変調歪の発生を防止又は低減すること。【解決手段】無線通信用フィルタ装置は、コネクタ取付部、及び、コネクタ取付部を少なくとも部分的に囲む溝部を有するフィルタ本体と、コネクタ取付部に取り付けられるコネクタとを含む。例えば、溝部の板厚は、コネクタ取付部の最大板厚の半分以下である。【選択図】図２
2017188823.tif 000002
【特許請求の範囲】
【請求項１】
コネクタ取付部、及び、前記コネクタ取付部を少なくとも部分的に囲む溝部を有するフィルタ本体と、
前記コネクタ取付部に取り付けられるコネクタとを含む、無線通信用フィルタ装置。
【請求項２】
前記溝部は、前記フィルタ本体の外表面側に形成される、請求項１に記載の無線通信用フィルタ装置。
【請求項３】
前記溝部は、前記コネクタ取付部を全周にわたり囲む、請求項２に記載の無線通信用フィルタ装置。
【請求項４】
１つの前記フィルタ本体に対して、前記コネクタ、前記コネクタ取付部及び前記溝部を複数組含む、請求項１〜３のうちのいずれか１項に記載の無線通信用フィルタ装置。
【請求項５】
前記溝部の板厚は、前記コネクタ取付部の最大板厚の半分以下である、請求項１〜４のうちのいずれか１項に記載の無線通信用フィルタ装置。
【請求項６】
前記コネクタは、無線制御装置の装置筐体に対して締結具により固定される、請求項１〜５のうちのいずれか１項に記載の無線通信用フィルタ装置。
【請求項７】
貫通穴を備える装置筐体と、
前記装置筐体内に設けられるフィルタ本体であって、コネクタ取付部と、前記コネクタ取付部を少なくとも部分的に囲む溝部とを有するフィルタ本体と、
前記コネクタ取付部に取り付けられ、前記貫通穴を通って前記装置筐体の外部に露出するコネクタと、
前記装置筐体及び前記コネクタを固定する締結具とを含む、無線制御装置。
【発明の詳細な説明】
【技術分野】
【０００１】
本開示は、無線通信用フィルタ装置及び無線制御装置に関する。
【背景技術】
【０００２】
空洞半同軸共振器において受動相互変調歪(PIM：Passive  Inter  Modulation)の発生を抑制する構造が知られている（例えば、特許文献１参照）。
【先行技術文献】
【特許文献】
【０００３】
【特許文献１】国際公開第２００６／０７３０２７号パンフレット
【発明の概要】
【発明が解決しようとする課題】
【０００４】
ところで、受動相互変調歪は、局部的に電圧と電流の変化が非線形になる時に発生し、一般的に異種金属の接続やコネクタの接触不良など接触に起因して発生することが多いとされる。無線通信用フィルタ装置は、構成部品点数が多いため、金属同士の接触点が多く、受動相互変調歪を効果的に低減することが難しい。
【０００５】
そこで、１つの側面では、本発明は、無線通信用フィルタ装置のコネクタとフィルタ本体との間の接触部における受動相互変調歪の発生を防止又は低減することを目的とする。
【課題を解決するための手段】
【０００６】
一局面によれば、コネクタ取付部、及び、前記コネクタ取付部を少なくとも部分的に囲む溝部を有するフィルタ本体と、
前記コネクタ取付部に取り付けられるコネクタとを含む、無線通信用フィルタ装置が提供される。
【発明の効果】
【０００７】
無線通信用フィルタ装置のコネクタとフィルタ本体との間の接触部における受動相互変調歪の発生を防止又は低減できる。
【図面の簡単な説明】
【０００８】
【図１】実施例１による無線基地局装置の構成の一例を概略的に示す図である。
【図２】実施例１による無線通信用フィルタ装置の構成を概略的に示す斜視図である。
【図３】無線通信用フィルタ装置のフィルタ本体の単体構成を概略的に示す斜視図である。
【図４】図３ラインＡ−Ａに沿った概略的な断面図である。
【図５】図２のラインＢ−Ｂに沿った概略的な断面図である。
【図６】無線通信用フィルタ装置の内部構成を概略的に示す平面図である。
【図７】無線通信用フィルタ装置の内部構成を概略的に示す側面図である。
【図８】無線通信用フィルタ装置の装置筐体への取り付け方法の説明図である。
【図９】装置筐体とコネクタとの固定部を概略的に示す断面図である。
【図１０】受動相互変調歪(PIM)の発生源の説明図である。
【図１１】比較例による不都合の説明図である。
【図１２】実施例１による効果の説明図である。
【図１３】実施例１による効果の説明図である。
【図１４】第１変形例による溝部の形状の説明図である。
【図１５】第２変形例による溝部の形状の説明図である。
【図１６】第３変形例による溝部の形状の説明図である。
【図１７】実施例２によるフィルタ本体とコネクタの説明図である。
【発明を実施するための形態】
【０００９】
以下、添付図面を参照しながら各実施例について詳細に説明する。
【００１０】
[実施例１]
図１は、実施例１による無線基地局装置１０の構成の一例を概略的に示す図である。
【００１１】
無線基地局装置１０（無線制御装置の一例）は、図１に示すように、アンテナ２とベースバンドユニット（ＢＢＵ：Base  Band  Unit）３との間に設けられる。尚、無線基地局装置１０とベースバンドユニット３との間は、光ケーブルを介して接続されてよい。
【００１２】
無線基地局装置１０は、送信部１１と、受信部１２と、増幅器（PA：Power  Amplifier）１３と、低雑音増幅器（LNA：Low  Noise  Amplifier）１４と、フィルタ１５とを含む。
【００１３】
送信部１１及び受信部１２は、信号の変換や送受信の周波数変換を行う。増幅器１３は、RF（Radio  Frequency）信号を所定の出力電力まで増幅する。低雑音増幅器１４は、アンテナ２で受信した微弱電波を増幅する。フィルタ１５は、送信経路で発生した不要波や大気中を飛んでいる不要電波をカットし、所望の周波数のみ通過させる。信号受信時は、アンテナ２で受信した電波は、フィルタ１５及び低雑音増幅器１４を介して受信部１２に送られる。信号送信時は、送信部１１からのRF信号は、増幅器１３及びフィルタ１５を介してアンテナ２に送られる。
【００１４】
尚、図１に示す例では、フィルタ１５は、送受信共用のフィルタ(デュプレクサ)であるが、これに限られない。フィルタ１５は、受信用と送信用とでそれぞれ別に設けられてもよい。
【００１５】
図２は、実施例１による無線通信用フィルタ装置１の構成を概略的に示す斜視図である。図３は、無線通信用フィルタ装置１のフィルタ本体３０の単体構成を概略的に示す斜視図である。図４は、ラインＡ−Ａに沿った概略的な断面図である。図５は、図２のラインＢ−Ｂに沿った概略的な断面図である。図２には、互いに直交する３方向であるＸ方向，Ｙ方向，及びＺ方向が定義されている。以下では、適宜、図２に示すＸ方向，Ｙ方向，及びＺ方向を用いて、各部材の配置等について説明する。以下、説明上、Ｘ方向を左右方向とし、Ｙ方向を前後方向とし、Ｚ方向を上下方向とする。
【００１６】
無線通信用フィルタ装置１は、図１に示した無線基地局装置１０のフィルタ１５として用いることができる。
【００１７】
無線通信用フィルタ装置１は、フィルタ本体３０と、コネクタ５０とを含む。実施例１では、一例として、無線通信用フィルタ装置１は、２系統を持つデュプレクサを形成するために、２個のコネクタ５０を備える。但し、コネクタ５０の数（即ち系統の数）は、任意であり、１つであってもよいし、３個以上であってもよい。
【００１８】
フィルタ本体３０は、例えばアルミや黄銅等により形成される。実施例１では、一例として、フィルタ本体３０は、アルミダイキャスト製品である。フィルタ本体３０は、略直方体状であり、内部に空間を有する筐体を形成する。即ち、フィルタ本体３０は、略矩形の底部３１（図６参照）と、底部３１の４辺にそれぞれ形成される側壁部３２とを含む。フィルタ本体３０の上部は、開口し、蓋となるフィルタカバー３４が設けられる。以下、フィルタ本体３０の外表面とは、外部から見える側（≠フィルタカバー３４で覆われる内部空間側）の表面を意味する。フィルタ本体３０は、グランド電位に電気的に接続される。例えば、フィルタ本体３０は、後述の装置筐体１００を介してグランド電位に電気的に接続される。
【００１９】
フィルタ本体３０は、コネクタ取付部３２０（図３参照）と、溝部３３０とを含む。図２及び図３に示す例のようにコネクタ５０が複数取り付けられる場合は、コネクタ取付部３２０及び溝部３３０は、コネクタ５０毎に形成される。フィルタ本体３０は、前側の側壁部３２に、コネクタ取付部３２０及び溝部３３０を備える。
【００２０】
コネクタ取付部３２０には、図２に示すように、コネクタ５０が取り付けられる。コネクタ取付部３２０には、コネクタ５０からのピン（プローブ）５５を通すための貫通穴３２２が形成される。コネクタ取付部３２０には、コネクタ締結ネジ７０が締結されるネジ穴３２４が形成される。ネジ穴３２４は、コネクタ取付部３２０において貫通しない態様で形成されてよい。
【００２１】
溝部３３０は、図３に示すように、コネクタ取付部３２０を囲む。即ち、溝部３３０は、コネクタ取付部３２０の外周まわりに形成される。溝部３３０は、フィルタ本体３０の外表面側に形成される。溝部３３０は、周囲部３５０とコネクタ取付部３２０との間を仕切り、後述のように、変形することで、周囲部３５０に対するコネクタ取付部３２０の位置を変化させる機能を持つ。
【００２２】
溝部３３０の板厚ｔ２は、図４に示すように、コネクタ取付部３２０の最大板厚ｔ１よりも板厚が小さい。ここで、コネクタ取付部３２０の“最大”板厚ｔ１とは、コネクタ取付部３２０内のネジ穴３２４の領域を除く領域での板厚を表す趣旨であるが、以下、単に「コネクタ取付部３２０の板厚ｔ１」と称する。実施例１では、一例として、コネクタ取付部３２０の板厚ｔ１は、一定であり、周囲部３５０の基本板厚ｔ３と同じである。但し、コネクタ取付部３２０の板厚ｔ１は、周囲部３５０の基本板厚ｔ３よりも若干大きくてもよい。尚、周囲部３５０の“基本”板厚ｔ３とは、周囲部３５０の主要部位の板厚を指し、周囲部３５０に形成されうる凹凸領域での板厚を除く趣旨である。各板厚ｔ１、ｔ２や、溝部３３０の幅ｗ１の好ましい例については後述する。
【００２３】
コネクタ５０は、図１に示した無線基地局装置１０とアンテナ２とを接続するために用いられる。コネクタ５０は、ピン５５、インシュレータ５６等を含む。ピン５５の一端（自由端側の端部）は、アンテナ２に電気的に接続され、無線基地局装置１０とアンテナ２とを電気的に接続する。ピン５５の他端は、プローブ３９（図６参照）を形成する。コネクタ５０の本体部５００は、例えば、SUS303のようなステンレス鋼材や黄銅により形成される。インシュレータ５６は、本体部５００とピン５５との間を電気的に絶縁する。
【００２４】
コネクタ５０は、フィルタ本体３０のコネクタ取付部３２０に取り付けられるバルクヘッドタイプである。これにより、装置筐体１００（後述）側にコネクタを取り付けるタイプにおいて必要とされるケーブル（装置筐体１００とフィルタ本体３０との間のケーブル）を無くすことができ、通過損失の改善を図ることができる。コネクタ５０は、図２に示すように、フィルタ本体３０に取り付けられた状態で、溝部３３０に外周が囲まれる。
【００２５】
具体的には、コネクタ５０は、図２及び図５に示すように、円筒状の本体部５００の端部にコネクタフランジ５１０を備える。コネクタ５０は、コネクタフランジ５１０に形成される穴５１２(図５参照)を通るコネクタ締結ネジ７０によりフィルタ本体３０に固定される。コネクタフランジ５１０は、取り付け面５１４とは逆側に平らな表面５１６を有する。コネクタフランジ５１０は、表面５１６から窪む凹部５１８を、例えば矩形の４隅に有し、各凹部５１８内には、穴５１２がそれぞれ形成される。尚、表面５１６に対する凹部５１８の深さ（Ｙ方向の深さ）は、コネクタ締結ネジ７０の頭部の高さよりも大きく設定される。これにより、表面５１６からコネクタ締結ネジ７０の頭部が露出することを防止できる。コネクタフランジ５１０は、コネクタ５０がフィルタ本体３０に取り付けられた状態で、フィルタ本体３０の外表面に当接する。即ち、コネクタフランジ５１０の取り付け面５１４は、コネクタ取付部３２０の外表面と面沿いに合わせられる。コネクタフランジ５１０は、フィルタ本体３０を介してグランド電位に電気的に接続される。
【００２６】
次に、図６及び図７を参照して、無線通信用フィルタ装置１の内部構成を概説する。
【００２７】
図６は、無線通信用フィルタ装置１の内部構成を概略的に示す平面図である。図７は、無線通信用フィルタ装置１の内部構成を概略的に示す側面図である。図６では、内部構成が分かるように、上部のフィルタカバー３４の図示が省略されている。同様に、図７では、内部構成が分かるように、右側の側壁部３２の図示が省略されている。
【００２８】
図６及び図７に示す例では、一例として、無線通信用フィルタ装置１は、２系統に対応して、前後方向の両側にそれぞれ２組のコネクタ５０、５１、５２を備える。コネクタ５１及び５２は、図１に示した無線基地局装置１０の増幅器１３及び低雑音増幅器１４との接続に用いられる。但し、コネクタ５１及び５２に代えて、他の接続方法(例えばケーブルによる接続)が実現されてよい。
【００２９】
図６及び図７に示す例では、フィルタ本体３０の底部３１には、フィルタ本体３０の内部空間を左右の空間６４，６５に仕切る仕切り壁３１０が設けられる。空間６４，６５のそれぞれには、送信系及び受信系間を仕切る仕切り壁３１１が設けられると共に、複数の共振器６０が千鳥状に設けられる。空間６４，６５のそれぞれには、左右方向に延在する壁３１２が形成される。各壁３１２は、共振器６０の前後方向に設けられる。共振器６０とコネクタ５０とは、プローブ３９を介して接続される。例えば、各コネクタ５０から延びるプローブ３９は、半田付け等により共振器６０に接合される。
【００３０】
次に、図８を参照して、無線通信用フィルタ装置１の装置筐体１００への取り付け方法について説明する。
【００３１】
図８は、無線通信用フィルタ装置１の装置筐体１００への取り付け方法の説明図である。図８には、無線基地局装置１０を形成する各部品（図１参照）が収容される装置筐体１００が概略的に図示されている。
【００３２】
無線基地局装置１０は、無線通信用フィルタ装置１等を収容する装置筐体１００を含む。装置筐体１００は、無線通信用フィルタ装置１や、他の部品（無線基地局装置１０の部品）を収容できる内部空間を有する。図８では、装置筐体１００の上部は開口しているが、無線基地局装置１０の製品状態では、上部の開口はカバー（図示せず）等によりカバーされる。
【００３３】
装置筐体１００には、前側の側壁部１０２に貫通穴１０４が形成される。無線通信用フィルタ装置１は、コネクタ５０が貫通穴１０４を通って装置筐体１００の外部に露出する。ナット（締結具の一例）９０は、装置筐体１００の外部においてコネクタ５０（の露出部）に締結される。例えば、コネクタ５０の本体部５００は、外周に雄ネジが形成されており、ナット９０が締結される。これにより、装置筐体１００及びコネクタ５０がナット９０で共締めされ、その結果、装置筐体１００に対して無線通信用フィルタ装置１が固定される。尚、コネクタ５０の締結には、ナット９０に加えて、緩み防止等のためのワッシャが用いられてもよい。
【００３４】
図９は、装置筐体１００とコネクタ５０との固定部を概略的に示す断面図である。図９に示すように、コネクタ５０が無線通信用フィルタ装置１の装置筐体１００に固定されると、コネクタフランジ５１０の表面５１６（取り付け面５１４とは逆側の表面）が装置筐体１００の側壁部１０２の内表面（内部空間側の表面）に当接する。以下、装置筐体１００の側壁部１０２における、コネクタフランジ５１０の表面５１６が接触する面（締結面）を、「装置筐体１００の接触面」と称する。
【００３５】
次に、図１０乃至図１３を参照して、比較例と対比しつつ実施例１による構造の効果について説明する。
【００３６】
図１０は、受動相互変調歪(PIM)の発生源の説明図である。図１０は、コネクタフランジ５１０とフィルタ本体３０との接触部を模式的に示す。尚、図１０は、コネクタフランジ５１０とフィルタ本体３０との関係の説明用の図であり、断面図ではない。
【００３７】
上述のように、受動相互変調歪は、一般的に異種金属の接続やコネクタの接触不良など接触に起因して発生することが多いとされる。無線通信用フィルタ装置１においては、例えば、コネクタフランジ５１０とフィルタ本体３０との接触部（太線Ｙ参照）が受動相互変調歪に影響する。かかる接触部に起因した受動相互変調歪の発生を防止又は低減するためには、コネクタフランジ５１０とフィルタ本体３０との物理的な接触状態を安定的に維持すること（これに伴いグランドへの電気的な接続を安定化させること）が有用である。即ち、コネクタフランジ５１０の取り付け面５１４と、フィルタ本体３０のコネクタ取付部３２０の外表面との間の物理的な面接触（及びそれに伴う電気的なグランド接触状態）を安定的に維持することが有用である。
【００３８】
図１１は、比較例による無線通信用フィルタ装置において生ずる不都合の説明図である。比較例による無線通信用フィルタ装置は、フィルタ本体３０の溝部３３０を備えない点だけが、実施例１による無線通信用フィルタ装置１と異なる。以下、フィルタ本体３０の前側の側壁部３２の外表面における、コネクタ取付部３２０が設定される領域（溝部３３０で囲まれた領域）を、「コネクタ取付面」と称する。即ち、コネクタ取付面は、コネクタ取付部３２０の外表面を指す。
【００３９】
ここでは、図１１に示すように、装置筐体の接触面とフィルタ本体のコネクタ取付面又はコネクタフランジの表面（以下、「コネクタ取付面」で代表する）との間が平行でないときの取り付けについて説明する。例えば、図１１では、フィルタ本体のコネクタ取付面と装置筐体の接触面との寸法（距離）に関して、コネクタフランジの表面の場所によって寸法Ａが寸法Ｂよりも有意に小さい。以下では、このようなコネクタ取付面と装置筐体の接触面間の平行が出ていない状態を想定する。「平行が出ていない状態」とは、本来平行であることが望ましい２つの面間が平行でない状態を意味する。以下、コネクタ取付面と装置筐体の接触面の間の平行が出ていないことに起因して発生する寸法差を、単に「寸法差（Ｂ−Ａ）」とも称する。また、コネクタ取付面内の、コネクタの中心を通る方向であって、寸法差（Ｂ−Ａ）が最も大きくなる方向を、単に「寸法差が最大になる方向」とも称する。
【００４０】
このような寸法差（Ｂ−Ａ）が生じる状態は、１つのフィルタ本体に対して（即ち同一のコネクタ取付面）に対して複数の複数のコネクタが実装される際に生じやすい。例えば、フィルタ本体のコネクタ取付面は、切削加工により平坦度が確保されうるが、複数のコネクタが実装される場合、各コネクタの部品寸法のばらつき等に起因して、コネクタ取付面と装置筐体との接触面には平坦度のばらつきが発生し易くなる。
【００４１】
比較例によれば、このような平行が出ない状態においては、図１１の下側に模式的に示すように、ナットが締め付けられると、コネクタが装置筐体に追従し、コネクタをフィルタ本体から引き剥がす力が働く。即ち、ナットの締結力はコネクタ締結ネジの固定力（４本の合計の固定力）よりも有意に大きいため、コネクタをフィルタ本体から引き剥がす力Ｆが働く。かかる力Ｆが働くと、剛性の高いフィルタ本体が実質的に変形しないことから、図１１の下側に模式的に示すように、コネクタがフィルタ本体から離れることになる（図１１のΔ参照）。この結果、コネクタフランジとフィルタ本体との間の面接触が不安定となり、受動相互変調歪が発生しやすくなる。
【００４２】
これに対して、実施例１によれば、以下で説明するように、上述の比較例で生じる不都合を低減又は無くすことができる。図１２及び図１３は、実施例１による効果をもたらす原理の説明図である。図１２は、図１１と同様、コネクタ取付面又はコネクタフランジ５１０の表面５１６（以下、同様に、「コネクタ取付面」で代表する）と装置筐体１００の接触面間の平行が出ていない状態における装置筐体１００へのコネクタ５０の取り付け時の状態を模式的に示す。図１３は、装置筐体１００へのコネクタ５０の取り付け後の状態を模式的に示す。
【００４３】
実施例１によれば、コネクタ取付面と装置筐体１００の接触面間の平行が出ていない状態においても、コネクタフランジ５１０とフィルタ本体３０との間の接触状態が不安定とならず、該接触状態の不安定化に起因した受動相互変調歪の発生を防止又は低減できる。具体的には、図１２の下側に模式的に示すように、実施例１においても、ナット９０が締め付けられると、コネクタ５０が装置筐体１００に追従し、コネクタ５０をフィルタ本体３０から引き剥がす力Ｆが働く。しかしながら、実施例１では、フィルタ本体３０は上述のように溝部３３０を有するので、比較例によりもフィルタ本体３０の剛性が低い。このため、フィルタ本体３０は溝部３３０で変形し、コネクタ５０をフィルタ本体３０から引き剥がす力Ｆが、比較例よりも緩和される。このようにして、実施例１によれば、コネクタ取付面と装置筐体１００の接触面間の平行が出ていない状態においても、ナット９０によるコネクタ５０の締結時にフィルタ本体３０は溝部３３０で変形できる。即ち、図１３に示すように、コネクタ取付部３２０の、周囲部３５０に対する位置（平行度）を、コネクタ取付面と装置筐体１００の接触面間の平行に対するずれに応じて、溝部３３０での変形により変化させることができる。例えば、コネクタ取付部３２０の、周囲部３５０に対する位置を、板厚方向（Ｙ方向）で所定距離Δ１まで変化させることができる。よって、実施例１によれば、かかる平行が出ていない状態においても、コネクタフランジ５１０とフィルタ本体３０との間の接触状態を安定的に維持でき、該接触状態の不安定化に起因した受動相互変調歪の発生を防止又は低減できる。従って、受動相互変調歪に対する要求が厳しい無線基地局装置１０においても同要求を満たすことが容易となる。以下、このように溝部３３０が変形することで、コネクタ取付面と装置筐体１００の接触面間の平行が出ていないことに起因して生じる寸法差（Ｂ−Ａ）（図１２参照）を吸収できる効果を、「溝部３３０の変形による寸法差吸収効果」と称する。
【００４４】
尚、実施例１によれば、上述のように、溝部３３０の変形による寸法差吸収効果が得られるので、フィルタ本体３０のコネクタ取付面の平坦度に対する許容公差を緩和することも可能となり得る。
【００４５】
また、実施例１によれば、溝部３３０は、コネクタ取付部３２０の外周を囲むため、任意の位置でコネクタ取付面と装置筐体１００の接触面間の平行が出ていない場合であっても、溝部３３０の変形による寸法差吸収効果を得ることができる。即ち、コネクタ取付面と装置筐体１００の接触面間の平行が出ていない場合、寸法差が最大になる方向は、各コネクタ５０の部品寸法のばらつき等の出方に応じて多様となる。即ち、図１２が、寸法差が最大になる方向に沿った図であるとすると、該方向は、コネクタ取付面内の任意の方向（例えばＺ方向に平行な方向、Ｘ方向に平行な方向、又はＸ方向及びＺ方向の双方に対して任意の傾斜角で傾斜する方向）でありえ、多様でありえる。従って、溝部３３０をコネクタ取付部３２０を部分的に囲む場合は、寸法差が最大になる方向と溝部３３０の位置との関係によっては、該寸法差を溝部３３０の変形によって吸収しきれない場合があり得る。即ち、寸法差が最大になる方向に溝部３３０が形成されていないときは、該寸法差を溝部３３０の変形によって吸収しきれない場合があり得る。この点、実施例１によれば、溝部３３０は、コネクタ取付部３２０の外周を囲むため、かかる不都合を低減できる。但し、変形例においては、溝部３３０に代えて、コネクタ取付部３２０の外周を部分的に囲む溝部が形成されてもよい。
【００４６】
また、実施例１によれば、溝部３３０は、上述のように、フィルタ本体３０の外表面側に形成されるので、容易に形成できる。例えば、鋳造の際に形成できる。但し、変形例では、溝部３３０は、フィルタ本体３０の内表面側に形成されてもよい。
【００４７】
次に、図４、図５、及び図１３を再度参照して、上述の溝部３３０の変形による寸法差吸収効果を得るための好ましい寸法関係について説明する。
【００４８】
溝部３３０の板厚ｔ２は、コネクタ取付部３２０の板厚ｔ１よりも小さく、好ましくは、コネクタ取付部３２０の板厚ｔ１の半分以下である。例えば、フィルタ本体３０の周囲部３５０の基本板厚ｔ３が４ｍｍであるとき、溝部３３０の板厚ｔ２は、好ましくは、０．５ｍｍ〜２ｍｍの範囲内である。また、溝部３３０の幅ｗ１は、好ましくは、３ｍｍ〜５ｍｍの範囲内である。かかる場合は、図１３に示す所定距離Δ１を、例えば約１００μｍ程度にでき、上述の溝部３３０の変形による寸法差吸収効果を効果的に得ることができる。尚、所定距離Δ１は、コネクタ取付面と装置筐体１００の接触面間の平行が出ていないことに起因して生じうる寸法差（Ｂ−Ａ）の試験値（実力値）に基づいて決定されてよい。
【００４９】
また、コネクタ取付面内における溝部３３０とコネクタ５０との距離ｄ（図５参照）は、好ましくは、コネクタ５０の全周にわたり５ｍｍ以下である。これにより、寸法差が最大になる方向が多様であっても、上述の溝部３３０の変形による寸法差吸収効果を効果的に得ることができる。
【００５０】
尚、コネクタ取付面に垂直な方向（Ｙ方向）に視たときの溝部３３０の形状には、制約がなく、コネクタフランジ５１０の形状や加工の容易性等に基づいて決定されてよい（図１４乃至図１６参照）。
【００５１】
次に、図１４乃至図１６を参照して、上述の実施例１において、溝部３３０に代えて使用できる溝部の変形例（形状）について説明する。
【００５２】
図１４は、第１変形例による溝部３３０Ａの形状の説明図であり、コネクタ取付面に垂直な方向（Ｙ方向）に視たときの概略的な平面図である。尚、図１４（以下の図１５及び図１６も同様）は、溝部の形状を示す図であるので、非常に簡略化した図である。
【００５３】
第１変形例による溝部３３０Ａは、上述した溝部３３０に対して、コネクタ取付面に垂直な方向に視たときの形状が、角に角アールを有する四角形の形状である点が異なる。即ち、上述した溝部３３０は、角に角アールが実質的にない四角形の形状であったが、第１変形例による溝部３３０Ａは、角に角アールを有する四角形の形状である。かかる第１変形例によっても、上述の実施例１の効果を得ることができる。
【００５４】
尚、第１変形例による溝部３３０Ａは、角に角アールを有する四角形の形状であるが、角に角アールを有する他の多角形の形状であってもよいし、角に角アールが実質的にない他の多角形の形状であってもよい。
【００５５】
図１５は、第２変形例による溝部３３０Ｂの形状の説明図であり、コネクタ取付面に垂直な方向（Ｙ方向）に視たときの概略的な平面図である。
【００５６】
第２変形例による溝部３３０Ｂは、上述した溝部３３０に対して、コネクタ取付面に垂直な方向に視たときの形状が、円形の形状である点が異なる。かかる第２変形例によっても、上述の実施例１の効果を得ることができる。第２変形例による溝部３３０Ｂを用いる場合、コネクタ取付面内における溝部３３０Ｂとコネクタ５０との距離ｄが、比較的大きくなる個所が生じる。このため、第２変形例による溝部３３０Ｂは、比較的大きいコネクタ取付面を確保できる場合に好適となる。
【００５７】
尚、第２変形例による溝部３３０Ｂは、楕円形のような、任意の曲線を含む形状であってもよい。
【００５８】
図１６は、第３変形例による溝部３３０Ｃの形状の説明図であり、コネクタ取付面に垂直な方向（Ｙ方向）に視たときの概略的な平面図である。
【００５９】
第３変形例による溝部３３０Ｃは、上述した溝部３３０に対して、複数（図１６の例では、２つ）のコネクタ５０を囲む点が異なる。即ち、上述した溝部３３０は、コネクタ取付面に垂直な方向に視たとき、１つのコネクタ５０を囲む形状であったが、第３変形例による溝部３３０Ｃは、２つのコネクタ５０を囲む形状である。かかる第３変形例によっても、上述の実施例１の効果を得ることができる。但し、第３変形例による溝部３３０Ｃを用いた場合、隣接する２つのコネクタ５０の間に、溝部が存在しない。このため、寸法差が最大になる方向が、隣接する２つのコネクタ５０の間を通る場合には、該寸法差を溝部３３０Ｃの変形によって吸収しきれない場合があり得る。
【００６０】
尚、第３変形例による溝部３３０Ｃの形状は、角に角アールを有する四角形の形状であるが、角に角アールを有する他の多角形の形状であってもよいし、角に角アールが実質的にない他の多角形の形状であってもよい。
【００６１】
［実施例２］
実施例２による無線基地局装置は、上述した実施例１による無線基地局装置１０の無線通信用フィルタ装置１が、無線通信用フィルタ装置１Ａで置換された点が異なる。従って、無線通信用フィルタ装置１Ａ以外の構成の説明は省略する。無線通信用フィルタ装置１Ａは、上述した実施例１による無線通信用フィルタ装置１に対して、コネクタ５０がコネクタ５０Ａで置換され、且つ、フィルタ本体３０がフィルタ本体３０Ａで置換された点が異なる。以下では、上述した実施例１と同様であってよい要素については、図１７において同一の参照符号を付して説明を省略する。
【００６２】
図１７は、実施例２によるフィルタ本体３０Ａとコネクタ５０Ａの説明図である。
【００６３】
フィルタ本体３０Ａは、上述したフィルタ本体３０に対して、コネクタ取付部３２０がコネクタ取付部３２０Ａで置換された点が異なる。コネクタ取付部３２０Ａは、中央に凹部３２９を有する。凹部３２９の周壁には、雌ネジ部３２９１が形成される。
【００６４】
コネクタ５０Ａは、上述したコネクタ５０に対して、コネクタフランジ５１０が無く、本体部５００が本体部５００Ａで置換された点が異なる。本体部５００Ａは、外周面に雄ネジ部５０１１が形成された端部５０１を有する。コネクタ５０Ａの端部５０１は、コネクタ取付部３２０Ａの凹部３２９内で雌ネジ部３２９１及び雌ネジ部３２９１を介して締結される。即ち、コネクタ５０Ａは、端部５０１の雌ネジ部３２９１を凹部３２９内の雌ネジ部３２９１に締結することで、フィルタ本体３０Ａに対して固定される。
【００６５】
フィルタ本体３０Ａは、上述した実施例１と同様に（図８及び図９参照）、ナット９０により装置筐体１００に固定される。
【００６６】
実施例２によっても、コネクタ取付部３２０Ａが溝部３３０を有することで、上述した実施例１と同様の効果が得られる。
【００６７】
次に、実施例２において、溝部３３０の変形による寸法差吸収効果を得るための好ましい寸法関係について説明する。
【００６８】
溝部３３０の板厚ｔ２は、コネクタ取付部３２０Ａの最大板厚ｔ１よりも小さく、好ましくは、コネクタ取付部３２０Ａの最大板厚ｔ１の半分以下である。コネクタ取付部３２０Ａの“最大”板厚ｔ１とは、コネクタ取付部３２０Ａ内の凹部３２９の領域での板厚を除く趣旨である。例えば、フィルタ本体３０Ａの周囲部３５０の基本板厚ｔ３が４ｍｍであるとき、コネクタ取付部３２０Ａの最大板厚ｔ１が８ｍｍである。このとき、溝部３３０の板厚ｔ２は、上述した実施例１と同様、好ましくは、０．５ｍｍ〜２ｍｍの範囲内であり、溝部３３０の幅ｗ１は、好ましくは、３ｍｍ〜５ｍｍの範囲内である。
【００６９】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００７０】
例えば、上述した実施例では、無線基地局装置１０が無線制御装置の一例として例示されているが、無線基地局装置１０に代えて、光回線が引けない場所に設けられる多重無線装置のような、他の無線制御装置が用いられてもよい。
【００７１】
なお、以上の実施例に関し、さらに以下の付記を開示する。
（付記１）
コネクタ取付部、及び、前記コネクタ取付部を少なくとも部分的に囲む溝部を有するフィルタ本体と、
前記コネクタ取付部に取り付けられるコネクタとを含む、無線通信用フィルタ装置。
（付記２）
前記溝部は、前記フィルタ本体の外表面側に形成される、付記１に記載の無線通信用フィルタ装置。
（付記３）
前記溝部は、前記コネクタ取付部を全周にわたり囲む、付記２に記載の無線通信用フィルタ装置。
（付記４）
１つの前記フィルタ本体に対して、前記コネクタ、前記コネクタ取付部及び前記溝部を複数組含む、付記１〜３のうちのいずれか１項に記載の無線通信用フィルタ装置。
（付記５）
前記溝部の板厚は、前記コネクタ取付部の最大板厚の半分以下である、付記１〜４のうちのいずれか１項に記載の無線通信用フィルタ装置。
（付記６）
前記コネクタ取付部の最大板厚は、４ｍｍであり、前記溝部の板厚は、０．５ｍｍ〜２ｍｍの範囲内である、付記１〜４のうちのいずれか１項に記載の無線通信用フィルタ装置。
（付記７）
前記溝部の幅は、３ｍｍ〜５ｍｍの範囲内である、付記６に記載の無線通信用フィルタ装置。
（付記８）
前記フィルタ本体の外表面の面内における前記溝部と前記コネクタとの距離は、５ｍｍ以下である、付記６又は７に記載の無線通信用フィルタ装置。
（付記９）
前記コネクタは、前記フィルタ本体の外表面に当接するフランジ部を有し、前記フランジ部に形成される穴を通るネジにより前記フィルタ本体に取り付けられる、付記１〜８のうちのいずれか１項に記載の無線通信用フィルタ装置。
（付記１０）
前記コネクタは、端部に雄ネジ部が形成され、
前記コネクタ取付部は、雌ネジ部が形成された凹部を有し、前記凹部内で前記コネクタの端部が締結される、付記１〜８のうちのいずれか１項に記載の無線通信用フィルタ装置。
（付記１１）
前記フィルタ本体は、前記溝部を囲む周囲部を更に含み、前記周囲部の板厚は、前記コネクタ取付部の最大板厚以下であり、且つ、前記溝部の板厚よりも大きい、付記１〜１０のうちのいずれか１項に記載の無線通信用フィルタ装置。
（付記１２）
前記溝部は、前記フィルタ本体の外表面に垂直な方向に視て、円形、多角形、又は角に角アールを有する多角形の形状を有する、付記１〜１１のうちのいずれか１項に記載の無線通信用フィルタ装置。
（付記１３）
前記コネクタは、無線制御装置の装置筐体に対して締結具により固定される、付記１〜１２のうちのいずれか１項に記載の無線通信用フィルタ装置。
（付記１４）
貫通穴を備える装置筐体と、
前記装置筐体内に設けられるフィルタ本体であって、コネクタ取付部と、前記コネクタ取付部を少なくとも部分的に囲む溝部とを有するフィルタ本体と、
前記コネクタ取付部に取り付けられ、前記貫通穴を通って前記装置筐体の外部に露出するコネクタと、
前記装置筐体及び前記コネクタを固定する締結具とを含む、無線制御装置。
【符号の説明】
【００７２】
１、１Ａ  無線通信用フィルタ装置
２  アンテナ
３  ベースバンドユニット
１０  無線基地局装置
１１  送信部
１２  受信部
１３  増幅器
１４  低雑音増幅器
１５  フィルタ
３０、３０Ａ  フィルタ本体
３１  底部
３２  側壁部
３４  フィルタカバー
３９  プローブ
５０、５０Ａ  コネクタ
５１  コネクタ
５２  コネクタ
５５  ピン
５５  ピン
５６  インシュレータ
６０  共振器
６４  空間
６５  空間
７０  コネクタ締結ネジ
９０  ナット
１００  装置筐体
１０２  側壁部
１０４  貫通穴
３１０  壁
３１１  壁
３１２  壁
３２０、３２０Ａ  コネクタ取付部
３２２  貫通穴
３２４  ネジ穴
３２９  凹部
３３０、３３０Ａ、３３０Ｂ、３３０Ｃ  溝部
３５０  周囲部
５００、５００Ａ  本体部
５０１  端部
５１０  コネクタフランジ
５１２  穴
５１４  面
５１６  表面
５１８  凹部
３２９１  雌ネジ部
５０１１  雄ネジ部
【図１】
2017188823.tif 000003
【図２】
2017188823.tif 000004
【図３】
2017188823.tif 000005
【図４】
2017188823.tif 000006
【図５】
2017188823.tif 000007
【図６】
2017188823.tif 000008
【図７】
2017188823.tif 000009
【図８】
2017188823.tif 000010
【図９】
2017188823.tif 000011
【図１０】
2017188823.tif 000012
【図１１】
2017188823.tif 000013
【図１２】
2017188823.tif 000014
【図１３】
2017188823.tif 000015
【図１４】
2017188823.tif 000016
【図１５】
2017188823.tif 000017
【図１６】
2017188823.tif 000018
【図１７】
2017188823.tif 000019